(57)【特許請求の範囲】
【請求項１】
投入口から投入された紙葉類を縦方向に細断する一対のカッタローラと、
回転軸の回りに螺旋状に形成されたスパイラルカッタと、
前記カッタローラで細断された紙葉類を前記スパイラルカッタとともに横方向に細断するフラットカッタと
を備え、
前記スパイラルカッタと前記フラットカッタとは複数の刃先間隔を形成可能に配設されており、前記スパイラルカッタの回転方向に対し先の回転位置の刃先間隔が後の回転位置の刃先間隔より大きく、
前記スパイラルカッタは少なくとも１個の螺旋刃を有し、各々の螺旋刃は隣接する複数のカッタ刃を有し、前記スパイラルカッタの回転方向に対し先の回転位置にある前記カッタ刃は後の回転位置の前記カッタ刃に比べて前記フラットカッタとの間でより大きい刃先間隔を形成する
ことを特徴とする紙葉細断装置。
【請求項２】
投入口から投入された紙葉類を縦方向に細断する一対のカッタローラと、
回転軸の回りに螺旋状に形成されたスパイラルカッタと、
前記カッタローラで細断された紙葉類を前記スパイラルカッタとともに横方向に細断するフラットカッタと
を備え、
前記スパイラルカッタと前記フラットカッタとは複数の刃先間隔を形成可能に配設されており、前記スパイラルカッタの回転方向に対し先の回転位置の刃先間隔が後の回転位置の刃先間隔より大きく、
前記フラットカッタは隣接する複数のフラットカッタ刃を有し、前記スパイラルカッタの回転方向に対し先の回転位置にある前記フラットカッタ刃は後の回転位置の前記フラットカッタ刃に比べて前記スパイラルカッタとの間でより大きい刃先間隔を形成する
ことを特徴とする紙葉細断装置。
【発明の詳細な説明】
【０００１】
【発明の属する技術分野】
本発明は、廃棄書類等を細断する紙葉細断装置（シュレッダ）に係り、特にその切断刃に関する。
【０００２】
【従来の技術】
紙葉細断装置は、廃棄する書類等の機密性を保持するため、この書類等を細断する装置である。一般的な紙葉細断装置は、互いに噛合する２個の回転刃の間に紙葉類を通過させてこの紙葉類を数ミリメートル幅の線状に縦方向に細断する。縦方向に細断されたものは、回転するスパイラルカッタと固定されたフラットカッタとによって、さらに横方向に細断される。
【０００３】
スパイラルカッタとフラットカッタとによって細断できる書類の厚さは、スパイラルカッタとフラットカッタとの刃先間隔によって決まる。この刃先間隔を大きくすれば厚い書類を細断でき、刃先間隔を小さくすれば薄い書類を細断できる。しかし、刃先間隔を大きくして薄い書類を細断しようとすると、書類が折れ込み、うまく細断することができない。
【０００４】
【発明が解決しようとする課題】
従来は、一台の紙葉細断装置によって廃棄する書類の厚さは十数枚から二十数枚の厚さ範囲に限られており、さらに、数十枚の厚い書類と一枚程度の薄い書類の両方の書類を同時的に細断することは耐久性の面で問題があった。
【０００５】
そこで、本発明の目的は、上記従来技術の有する問題を解消し、廃棄する書類等の厚さが従来よりもさらに厚い場合と一枚程度の薄い場合とが混じることがあっても適正に細断可能な紙葉細断装置を提供することである。
【０００６】
【課題を解決するための手段】
上記目的を達成するために、本願発明の紙葉細断装置は、投入口から投入された紙葉類を縦方向に細断する一対のカッタローラと、回転軸の回りに螺旋状に形成されたスパイラルカッタと、前記カッタローラで細断された紙葉類を前記スパイラルカッタとともに横方向に細断するフラットカッタとを備え、前記スパイラルカッタと前記フラットカッタとは複数の刃先間隔を形成可能に配設されており、前記スパイラルカッタの回転方向に対し先の回転位置の刃先間隔が後の回転位置の刃先間隔より大きく、前記スパイラルカッタは少なくとも１個の螺旋刃を有し、各々の螺旋刃は隣接する複数のカッタ刃を有し、前記スパイラルカッタの回転方向に対し先の回転位置にある前記カッタ刃は後の回転位置の前記カッタ刃に比べて前記フラットカッタとの間でより大きい刃先間隔を形成することを特徴とする。
【０００８】
また、本願発明の紙葉細断装置は、投入口から投入された紙葉類を縦方向に細断する一対のカッタローラと、回転軸の回りに螺旋状に形成されたスパイラルカッタと、前記カッタローラで細断された紙葉類を前記スパイラルカッタとともに横方向に細断するフラットカッタとを備え、前記スパイラルカッタと前記フラットカッタとは複数の刃先間隔を形成可能に配設されており、前記スパイラルカッタの回転方向に対し先の回転位置の刃先間隔が後の回転位置の刃先間隔より大きく、前記フラットカッタは隣接する複数のフラットカッタ刃を有し、前記スパイラルカッタの回転方向に対し先の回転位置にある前記フラットカッタ刃は後の回転位置の前記フラットカッタ刃に比べて前記スパイラルカッタとの間でより大きい刃先間隔を形成することを特徴とする。
【０００９】
上述の発明において、細断する書類等の厚さが厚い場合には、まず大きい刃先間隔にあるスパイラルカッタとフラットカッタとの間で細断し、次いで小さい刃先間隔で細断することにより、厚い書類等をも適正に細断でき、書類等の厚さが薄い場合には、大きい刃先間隔にあるスパイラルカッタとフラットカッタとの間では細断されないが、スパイラルカッタの回転に伴いすぐ直後の小さい刃先間隔にあるスパイラルカッタとフラットカッタとの間で適正に細断される。
【００１０】
【発明の実施の形態】
以下に図面を参照して、本発明に係る紙葉細断装置の実施の形態について説明する。
【００１１】
図５に示すように、紙葉細断装置本体１の上面には細断する紙葉類を投入する投入口２が斜めに設けられており、投入口２内部には２個のカッタローラ３，４が噛合するように設けられており、投入口２の後端部が丁度その噛合部に対向するようにされている。図６に示すように、カッタローラ３，４は回転軸５，６に等間隔に円盤状のカッタ刃が取り付けられたものである。
【００１２】
またこれらカッタローラ３，４の噛合部の下方位置には横方向カッタ装置７が設けられている。この横方向カッタ装置７は螺旋状の刃を有するスパイラルカッタ８とフラットカッタ９とから構成されている。図７に示すように、スパイラルカッタ８は軸１０に螺旋状のカッタ刃１１を設けたものである。また、フラットカッタ９は先端部に例えば断面三角形状等の形状のフラットカッタ刃１９を有している。
【００１３】
カッタローラ３，４とスパイラルカッタ８はモータ１３によって駆動回転される。モータ１３にはギア１２が同軸に取り付けられており、モータ１３による駆動力はギア１２によってカッタローラ３と同軸に配設されたギア１４へ伝達されカッタローラ３，４が駆動される。また、ギア１２の回転はスパイラルカッタ８の回転軸１０と同軸に配設されたギア１５に伝達され、スパイラルカッタ８が駆動される。モータ１３は数百ワット程度の出力を有する。
【００１４】
投入口２から紙葉類を投入すると入紙センサがこれを検出してモータ１３が自動的に起動される。これによりカッタローラ３，４およびスパイラルカッタ８が回転する。投入された紙葉類はカッタローラ３，４によって、例えば幅約３ｍｍ〜６ｍｍの線状に縦方向に細断される。線状に細断された紙葉類は横方向カッタ装置７内部に導かれ、さらに横方向に短く断裁される。断裁長さはスパイラルカッタ８の回転数によって規定されるが約１０ｍｍ〜３５ｍｍ程度である。このように細かく断裁された紙葉類（細断屑）は、装置下部に設けられた屑容器１６に落下する。
【００１５】
上述の紙葉細断装置において、本発明では、スパイラルカッタ８の螺旋刃としてのカッタ刃１１とフラットカッタ９のフラットカッタ刃１９とは複数の刃先間隔を形成可能に配設されている。そして、複数の刃先間隔は、スパイラルカッタ８の回転方向Ｒに対し先の回転位置の刃先間隔が後の回転位置の刃先間隔より大きくなるように、設定されている。
【００１６】
以下に、図１乃至図３を参照して具体的な実施例について説明する。
【００１７】
図３にスパイラルカッタ８の回転軸１０に垂直な断面を諸寸法を表示して示す。スパイラルカッタ８は直径６２ｍｍの包絡外径を有し、中心Ｏの回りに６０度の角度間隔で６個の螺旋刃としてのカッタ刃１１を有する。隣接するカッタ刃１１の間の曲率半径５ｍｍの凹部が形成され、この凹部の谷底から包絡外周までの距離は１４．５ｍｍである。
【００１８】
各々のカッタ刃１１は階段状に配列された第１刃１１ａと第２刃１１ｂとを有している。図１乃至図３においては一つまたは二つのカッタ刃１１についてのみ第１刃１１ａと第２刃１１ｂを示しており、他のカッタ刃１１については表示を省略している。
【００１９】
図３において、第１刃１１ａの最先端点と中心Ｏとを直線で結ぶときこの直線と一つの第１刃１１ａの右側斜線との角度は４５度であり、第２刃１１ｂの左側斜線と右側斜線とのなす角度は１５度であり、第１刃１１ａの左側斜線と第２刃１１ｂの右側斜線とはほぼ平行であって７．０ｍｍの間隔にある。第１刃１１ａの上端部は１．５ｍｍの長さ幅を有し、第１刃１１ａの上端部の右端点と第２刃１１ｂの左端点との間隔は４．０ｍｍであり、第１刃１１ａの右側斜線と第２刃１１ｂの左側斜線との交わる部分は曲率半径１．０ｍｍの凹部が形成されている。
【００２０】
また、ここで特徴的なことは、第１刃１１ａの中心Ｏからの先端位置までの半径は中心Ｏからの第２刃１１ｂの先端位置までの半径よりも０．０４ｍｍ小さく形成されていることである。また、フラットカッタ９の回転方向Ｒに対し第１刃１１ａは先の位置にあり、第２刃１１ｂは後の位置にある。
【００２１】
図１または図２は、スパイラルカッタ８のカッタ刃１１とフラットカッタ９のフラットカッタ刃１９との間で書類１７を横細断することを示す図であり、第１刃１１ａとフラットカッタ刃１９との刃先間隔は０．０４ｍｍであり、第２刃１１ｂとフラットカッタ刃１９との刃先間隔は０．０１ｍｍ以下の約０．００１ｍｍに設定されている。
【００２２】
図１は、厚い書類１７が投入された場合を示す。この場合、厚い書類１７はまず、刃先間隔が０．０４ｍｍと大きく形成された第１刃１１ａとフラットカッタ刃１９との間で細断される。次いで、スパイラルカッタ８がＲ方向に回転し、第２刃１１ｂとフラットカッタ刃１９との間で刃先間隔が小さくなるが、書類１７は第１刃１１ａとフラットカッタ刃１９との間ですでに一部細断されてるので、第２刃１１ｂとフラットカッタ刃１９との間で刃先間隔が小さくなっても容易に書類１７を細断することができる。
【００２３】
図２は、薄い書類１７が投入された場合を示す。この場合、薄い書類１７ａはまず、刃先間隔が０．０４ｍｍと大きく形成された第１刃１１ａとフラットカッタ刃１９との間で細断されようとするが、刃先間隔が大き過ぎるので書類１７ａが巻き込まれうまく細断できない。しかし、スパイラルカッタ８がＲ方向に回転し、第２刃１１ｂとフラットカッタ刃１９との間で刃先間隔が小さくなるので、書類１７ａを第２刃１１ｂとフラットカッタ刃１９との間で適切に細断することができる。
【００２４】
次に、図４は他の実施例を示す。
【００２５】
図４に示す実施例では、フラットカッタ９のフラットカッタ刃１９に階段状に隣接する第１刃１９ａと第２刃１９ｂが形成されている。スパイラルカッタ８の螺旋刃としてのカッタ刃１１は単一の刃形状に形成されている。第１刃１９ａとスパイラルカッタ８のカッタ刃１１との刃先間隔は０．０４ｍｍであり、第２刃１９ｂとスパイラルカッタ８のカッタ刃１１との刃先間隔は０．０１ｍｍ以下の約０．００１ｍｍに設定されている。フラットカッタ９の回転方向Ｒに対し第１刃１９ａは先の位置にあり、第２刃１９ｂは後の位置にある。
【００２６】
本実施例においても、図１乃至図３に示す場合と同様に、書類１７が厚い場合は、まず第１刃１９ａとカッタ刃１１との間で細断し、次いで第２刃１９ｂとカッタ刃１１との間で細断し、書類１７が厚い場合であっても適正に細断することができる。また、書類１７が薄い場合には、第２刃１９ｂとカッタ刃１１との間で適正に細断することができる。
【００２７】
上述の説明において、複数の刃先間隔として２個の場合について例にとり説明したが、複数の刃先間隔は２個に限らず、３個以上であってもよい。
【００２８】
【発明の効果】
以上のように、本発明の構成によれば、スパイラルカッタとフラットカッタとは複数の刃先間隔を形成可能に配設されており、スパイラルカッタの回転方向に対し先の回転位置の刃先間隔が後の回転位置の刃先間隔より大きいので、広範囲の厚さの廃棄書類等を適正に細断することができる。
【図面の簡単な説明】
【図１】本発明に係る紙葉細断装置のスパイラルカッタとフラットカッタの刃先間隔を示す図。
【図２】本発明に係る紙葉細断装置のスパイラルカッタとフラットカッタの他の刃先間隔を示す図。
【図３】本発明に係る紙葉細断装置のスパイラルカッタを示す断面図。
【図４】本発明に係る紙葉細断装置のスパイラルカッタとフラットカッタの刃先間隔を示す図。
【図５】紙葉細断装置の上内部を示す図。
【図６】一対のカッタローラを示す図。
【図７】スパイラルカッタを示す図。
【符号の説明】
１  紙葉細断装置本体
２  投入口
３、４  カッタローラ
８  スパイラルカッタ
９  フラットカッタ
１１  スパイラルカッタのカッタ刃
１１ａ  第１刃
１１ｂ  第２刃
１２、１４、１５  ギア
１３    モータ
１９  フラットカッタ刃
１９ａ  第１刃
１９ｂ  第２刃
【図１】
0004280811.tif 000002
【図２】
0004280811.tif 000003
【図３】
0004280811.tif 000004
【図４】
0004280811.tif 000005
【図５】
0004280811.tif 000006
【図６】
0004280811.tif 000007
【図７】
0004280811.tif 000008